(57)【特許請求の範囲】
【請求項１】
管本体と、
前記管本体の上端部で縦管と接続するための上部継ぎ手部と、
前記管本体にその開口部が開口し前記管本体の側面部で横向きに突出する２つまたは３つの管継ぎ手部と、
前記管本体の内周面における前記開口部が投影される対向面のうちで内周面が閉口している全ての対向面の側部位置に設けられ前記管本体の内周面から前記管本体の管軸へ向けて張り出し前記管本体の管軸方向に延びる逆流防止リブと、を備え、
前記管継ぎ手部は、いずれの前記開口部も前記管本体の管軸方向について同じ位置に開口し、
前記逆流防止リブは、前記上部継ぎ手部から流下する排水が干渉しない程度の前記管本体の管軸へ向けた張り出し高さであり、それぞれ対向関係にある開口部の上端と同じ高さ位置から下端と同じ高さ位置にわたって形成される
ことを特徴とする排水集合管。
【請求項２】
前記管継ぎ手部は、それぞれの管軸が前記管本体の管軸方向から見たときに互いに９０度の角度を形成する
ことを特徴とする請求項１に記載の排水集合管。
【請求項３】
前記逆流防止リブを備える前記対向面から対向関係にある前記開口部までの間には前記開口部の投影を遮るものがない
ことを特徴とする請求項１または請求項２に記載の排水集合管。
【発明の詳細な説明】
【技術分野】
【０００１】
本発明は、排水集合管に関するものである。
【背景技術】
【０００２】
図７及び図８に示すように、集合住宅等の多層階建物で採用される排水管システムは、各階を縦方向に貫いて配管される立主管１００に対し、各階ごとに対応させて排水集合管１０１が介設され、これらそれぞれの排水集合管１０１を介して、各階用の横枝管１０２，１０３が接続されるようになっている（特許文献１）。
この種の排水集合管１０１では、核となる管本体１０５の側部に、横枝管１０２，１０３に対応して横向きの管継ぎ手部１０６，１０７が複数設けられている。
【０００３】
図例の排水集合管１０１は、管継ぎ手部１０６，１０７が互いに平面Ｌ字状を呈するようにして平面交差方向へ突出されたものとなっている。
このようなＬ字タイプの排水集合管１０１を用いて便器排水を排水させる場合、いずれか一方の管継ぎ手部（いま仮に符号１０６の方とおく）に接続する横枝管１０２を便器１０８へと繋げ、他方の管継ぎ手部（従って符号１０７の方である）に接続する横枝管１０３を例えば風呂等の排水機器１０９等へと繋げることになる。
【先行技術文献】
【特許文献】
【０００４】
【特許文献１】特開平９−３１０３８９号公報
【発明の概要】
【発明が解決しようとする課題】
【０００５】
上記した平面Ｌ字状タイプの排水集合管１０１では、これを用いて便器排水のように勢いのある排水流を排水させるようにした場合、便器１０８側の横枝管１０２から管継ぎ手部１０６を介して管本体１０５内に便器排水が流れ込んだ場合に、この便器排水が管本体１０５内で対向する内周面に突き当たり、その反射流が勢い余って内周面を伝いながら他方の管継ぎ手部１０７へと流れ込み、もって横枝管１０３に逆流してしまうということがあった。
【０００６】
なお、このような問題は便器排水に限らず、勢いのある排水流を排水させる場合に起こりうるものであった。
ところで、従来、この種の問題を解消できるものとして管本体１０５内に垂下壁を設け
ることも考えられている（特開平８−８５９８９号公報参照）が、垂下壁は試験球の通過を考慮しながらの形成になるので、構造的にコスト高を伴う等の問題があった。
【０００７】
本発明は、上記事情に鑑みてなされたものであって、便器排水などのような勢いのある排水流を排水する場合にその排水が他の横枝管へ逆流することがないようにできる排水集合管を提供することを目的とする。
【課題を解決するための手段】
【０００８】
本発明に係る排水集合管は、管本体と、前記管本体の上端部で縦管と接続するための上部継ぎ手部と、前記管本体に開口部が開口し前記管本体の側面部で横向きに突出する複数の管継ぎ手部と、前記管本体の内周面における前記開口部が投影される対向面の側部位置に設けられ前記管本体の内周面から前記管本体の管軸へ向けて張り出し前記管本体の管軸方向に延びる逆流防止リブと、を備え、前記管継ぎ手部は、いずれの前記開口部も前記管本体の管軸方向について同じ位置に開口し、かつそれぞれの管軸が前記管本体の管軸方向から見たときに互いに９０度の角度を形成しており、前記逆流防止リブは、前記上部継ぎ手部から流下する排水が干渉しない程度の前記管本体の管軸へ向けた張り出し高さであり、前記開口部から前記対向面までの間には前記開口部の投影を遮るものがない構造である。
【０００９】
好ましくは、前記逆流防止リブは、それぞれ対向関係にある開口部の上端と同じ高さ位置から下端と同じ高さ位置にわたって形成される。
本発明に係る他の排水集合管は、管本体と、前記管本体の上端部で縦管と接続するための上部継ぎ手部と、前記管本体に開口部が開口し前記管本体の側面部で横向きに突出する複数の管継ぎ手部と、前記管本体の内周面における前記開口部が投影される対向面の側部位置に設けられ前記管本体の内周面から前記管本体の管軸へ向けて張り出し前記管本体の管軸方向に延びる逆流防止リブと、を備え、前記逆流防止リブは、前記上部継ぎ手部から流下する排水が干渉しない程度の前記管本体の管軸へ向けた張り出し高さであり、複数の前記管継ぎ手部は、前記管本体の管軸方向の異なる位置に設けられており、前記逆流防止リブのすべてが、少なくとも最も上方の側に位置する前記開口部の上端の高さ位置から最も下方の側に位置する前記開口部の下端の位置にわたって形成されている。
【００１０】
好ましくは、複数の前記管継ぎ手部は、前記管本体を管軸方向に見たとき複数の前記管継ぎ手部の管軸が互いに９０度の角度を形成するように設けられている。
【発明の効果】
【００１１】
本発明に係る排水集合管は、便器排水などのような勢いのある排水流を排水する場合に、その排水が他の横枝管へ逆流することがないようにできる。
【図面の簡単な説明】
【００１２】
【図１】図１は排水集合管の第１の形態を用いた配管形態を示した平面図である。
【図２】図２は図１に対応する側面図である。
【図３】図３は排水集合管の第１の形態を示した一部破砕平面図である。
【図４】図４は排水集合管の第１の形態を示した一部破砕側面図である。
【図５】図５は排水集合管の第２の形態を示した一部破砕側面図である。
【図６】図６は排水集合管の第３の形態を示した一部破砕側面図である。
【図７】図７は従来の排水集合管を用いた配管形態を示した平面図である。
【図８】図８は図７に対応する側面図である。
【発明を実施するための形態】
【００１３】
以下、本発明の実施の形態を、図面に基づき説明する。
図３及び図４は、本発明に係る排水集合管１の第１実施形態を示しており、図１及び図２は、この第１実施形態の排水集合管１を用いて集合住宅等の多層階建物での排水管システムを配管させた状況を示している。
この排水集合管１は、多層階建物の各階を縦方向に貫いて建て込まれる立主管１００に対して、各階に対応した部分で介設される。
【００１４】
そのため、この排水集合管１において核を成している管本体２に対し、その上端部及び下端部に立主管１００用縦管と接続するための上部継ぎ手部３及び下部継ぎ手部４が設け
られている。
なお、図例の上部継ぎ手部３は受け口（ソケット又はメカニカル）タイプとしてあり、下部継ぎ手部４は差し口（ストレート管）タイプとしてあるが、これらはフランジ継ぎ手タイプ等の他のタイプとしてもよい。
【００１５】
この管本体２の側面部には、複数（図例では二つ）の管継ぎ手部６，７が設けられている。
図例の管継ぎ手部６，７はいずれも受け口（ソケット又はメカニカル）タイプとしてあるが、フランジ継ぎ手タイプや差し口（ストレート管）タイプ等の他のタイプでもよい。
これら管継ぎ手部６，７は横向きであり、平面Ｌ字状を呈するように管本体２に対して互いに平面交差方向へ突出されたものとなっている。各管継ぎ手部６，７には横枝管１０２，１０３を接続可能になっており、このうち一方の横枝管１０２が便器１０８へと繋げられるものとする。
【００１６】
なお、他方の横枝管１０３は、例えば風呂等の排水機器１０９へと繋げられるものとする。
管本体２の内部には複数の逆流防止リブ１０〜１３が設けられている。
逆流防止リブ１０〜１３は、いずれも、管本体２の内周面から管中心方向（正確な管中心でなくてもよい）へ向けて張り出したものである。また逆流防止リブ１０〜１３は、いずれも、管軸方向に沿って延びている。
【００１７】
各逆流防止リブ１０〜１３が管本体２の管軸方向において設けられる位置付けは、管継ぎ手部６，７と同じ位置付けとなるように設定されている。
また、各逆流防止リブ１０〜１３が管本体２の周方向において設けられる位置付けは、平面交差状に隣接している各管継ぎ手部６，７に対し、それらが管本体２の内側で開口している部分（図３に示すように一方の管継ぎ手部６の開口部を１５とし、他方の管継ぎ手部７の開口部を１６とする）の中間位置を含んだものとされている。
【００１８】
いま、この位置付けにあるものを説明の便宜上、第１逆流防止リブ１０とおき、且つその他の逆流防止リブ１１，１２，１３を時計回り方向で昇順的に呼称するものとおくと、第２逆流防止リブ１１は、第１逆流防止リブ１０から管継ぎ手部６の開口部１５を挟んだ対称位置に位置付けられている。従って、この開口部１５に対してその両脇位置に逆流防止リブ１０，１１が設けられていることになる。
【００１９】
また、第４逆流防止リブ１３は、第１逆流防止リブ１０から管継ぎ手部７の開口部１６を挟んだ対称位置に位置付けられている。従って、この開口部１６に対してその両脇位置に逆流防止リブ１０，１３が設けられていることになる。
そして、第３逆流防止リブ１２は、第１逆流防止リブ１０に対して管本体２の管中心を挟んだ対称位置に位置付けられている。
【００２０】
従って、これらの説明から明らかなように、逆流防止リブ１０〜１３は、管本体２の内周面を四等分する位置付けで設けられていることになる。
なお、本第１実施形態の管本体２では、排水を効率よく立主管１００へ流下させるための旋回羽根１７が設けられているものとした。
図１及び図２に示すように、このような構成の排水集合管１では、便器１０８に接続する横枝管１０２から一方の管継ぎ手部６を介して管本体２内へ便器排水が勢いよく流れ込んだとしても、この排水流は、管本体２内で対向する内周面２ａに突き当たった後、その反射流がすぐに第３逆流防止リブ１２や第４逆流防止リブ１３にぶつかるようになる。
【００２１】
のみならず、仮にこれら第３、第４の逆流防止リブ１２，１３を乗り越える反射流があったとしても、それらは第１逆流防止リブ１０や第２逆流防止リブ１１にぶつかることになる。
そのため、排水流の反射流が管本体２の内周面を伝うといった現象は確実に抑制され、結果として、この排水流が他方の管継ぎ手部７から横枝管１０３へと逆流することは防止されるものである。
【００２２】
なお、上記したように逆流防止リブ１０〜１３は、管本体２の内周面に対して四等配置で設けられているので、管継ぎ手部７に接続した横枝管１０３側から勢いのある排水流が
流入した場合（勿論、この横枝管１０３を便器１０８へ繋いだ場合を含む）でも、管本体２内へ流れ込んだ排水流が管本体２の内周面を伝うという現象は確実に抑制されることになる。すなわち、排水集合管１として、その配管（使用態様）が限定されることはない。
【００２３】
図５は、本発明に係る排水集合管１の第２実施形態を示している。
この第２実施形態の排水集合管１が上記第１実施形態と異なるところは、管本体２が縦長に形成されており、それに伴って逆流防止リブ１０〜１３も縦長に形成されている点にある。
管本体２の縦長化は、管継ぎ手部６，７の下部側で行われたものとしてあるが、管継ぎ手部６，７の上部側で行われたものとしてもよい。
【００２４】
その他の構成、構造及び作用効果等は第１実施形態の場合と略同様であるので、ここでの詳説は省略する。
図６は、本発明に係る排水集合管１の第３実施形態を示している。
この第３実施形態の排水集合管１も上記第２実施形態の場合と同様に、管本体２が縦長に形成されたものであるが、更に管本体２に対し、管継ぎ手部６，７とは高さを異ならせた配置で、新たに別の管継ぎ手部２０が設けられたものとなっている。
【００２５】
そして、これに伴い、管本体２の管軸方向において管継ぎ手部６，７と同じ位置付けで設けられた逆流防止リブ１０Ａ〜１３Ａとは別に、管継ぎ手部２０と同じ位置付けで逆流防止リブ１０Ｂ〜１３Ｂが設けられたものとしてある。
なお、図例では、上方側の逆流防止リブ１０Ａ〜１３Ａと下方側の逆流防止リブ１０Ｂ〜１３Ｂとが上下に分離されたものとしてあるが、一連に連続させたものとしてもよい。
【００２６】
その他の構成、構造及び作用効果等は第１実施形態や第２実施形態の場合と略同様であるので、ここでの詳説は省略する。
ところで、本発明は、上記した各実施形態に限定されるものではなく、実施の形態に応じて適宜変更可能である。
例えば、この排水集合管１の形成材料、管継ぎ手部６，７，２０の配置数や配置、その管径サイズ等は何ら限定されるものではない。従って、平面Ｌ型の二方とする他、平面Ｔ型やＹ型等の三方、平面十字型の四方などとすることも可能である。
【００２７】
また、この排水集合管１は、多層階建物において使用されることが限定されるものではない。
逆流防止リブ１０〜１３における管軸方向の長さや管中心へ向けた張り出し長さなどは、限定されない。
【産業上の利用可能性】
【００２８】
本発明は、集合住宅等の多層階建物で採用される排水管システムの排水集合管に利用することができる。
【符号の説明】
【００２９】
１    排水集合管
２    管本体
２ａ  内周面
３    上部継ぎ手部
６    管継ぎ手部
７    管継ぎ手部
１０〜１３    逆流防止リブ
１５，１６    開口部
１００    立主管
１０２    横枝管
【図１】
0005606349.tif 000002
【図２】
0005606349.tif 000003
【図３】
0005606349.tif 000004
【図４】
0005606349.tif 000005
【図５】
0005606349.tif 000006
【図６】
0005606349.tif 000007
【図７】
0005606349.tif 000008
【図８】
0005606349.tif 000009